(57)【要約】      （修正有）【課題】表示装置が備える操作部により、ユーザーが、再生装置による映像信号及び音声信号の再生を停止させることを可能とする映像音声処理装置を提供する。【解決手段】ＡＶアンプは、映像信号及び音声信号を再生するＢＤプレーヤー１００、及び、映像を表示するＴＶ受像機３００と接続される。ＡＶアンプの制御部２は、受付部２１、指示部２２として機能する。受付部２１は、ＴＶ受像機３００が備えるリモートコントローラ３０１のミュートボタン３０２の操作に基づいて、ＴＶ受像機３００から出力されるミュート指示を受け付ける。指示部２２は、受付部２１がミュート指示を受け付けた場合、ＢＤプレーヤ１００に再生停止を指示する。【選択図】図２
2015198329.tif 000002
【特許請求の範囲】
【請求項１】
映像信号及び音声信号を再生する再生装置、及び、映像を表示する表示装置と接続される映像音声処理装置であって、
前記表示装置が備える、音声信号のボリューム値を指示するための第１操作部の操作に基づいて、前記表示装置から出力される前記ボリューム値の指示を受け付ける受付部と、
前記受付部が前記ボリューム値を所定値以下とする指示を受け付けた場合、前記再生装置に再生停止を指示する指示部と、
を備えることを特徴とする映像音声処理装置。
【請求項２】
前記指示部は、前記再生装置に再生停止を指示した後、前記受付部が前記ボリューム値を前記所定値よりも大きくする指示を受け付けた場合、前記再生装置に再生を指示することを特徴とする請求項１に記載の映像音声処理装置。
【請求項３】
前記受付部が設定する前記ボリューム値に音声信号を調整するボリューム調整部と、
前記ボリューム値を記憶する記憶部と、をさらに備え、
前記受付部は、
前記ボリューム値を前記所定値以下とする指示のうち、ミュート指示を受け付けた場合、前記ミュート指示を受け付けたときの前記ボリューム値を前記記憶部に記憶し、且つ、前記ボリューム調整部にミュートを設定し、
ミュートを解除するミュート解除指示を受け付けた場合、前記記憶部に記憶されている前記ボリューム値を前記ボリューム調整部に設定することを特徴とする請求項１又は２に記載の映像音声処理装置。
【請求項４】
前記第１操作部は、前記ミュート指示、又は、前記ミュート解除指示をするための第１ミュートボタンを備えることを特徴とする請求項３に記載の映像音声処理装置。
【請求項５】
前記ボリューム値を指示するための第２操作部をさらに備え、
前記受付部は、前記表示装置から出力される前記ボリューム値の指示に加え、前記第２操作部の操作に基づいて、前記ボリューム値の指示を受け付けることを特徴とする請求項３又は４に記載の映像音声処理装置。
【請求項６】
前記第２操作部は、前記ミュート指示、又は、前記ミュート解除指示をするための第２ミュートボタンを備えることを特徴とする請求項５に記載の映像音声処理装置。
【請求項７】
前記第１操作部は、第１遠隔操作部を備えることを特徴とする請求項１〜６のいずれか１項に記載の映像音声処理装置。
【請求項８】
前記第２操作部は、第２遠隔操作部を備えることを特徴とする請求項５又は６に記載の映像音声処理装置。
【発明の詳細な説明】
【技術分野】
【０００１】
本発明は、再生装置が再生する映像信号にスケーラ変換等の映像処理を行って表示装置に出力し、再生装置が再生する音声信号に増幅等の音声処理を行ってスピーカーに出力する映像音声処理装置に関する。
【背景技術】
【０００２】
映像音声処理装置として、例えば、ＤＶＤプレーヤー等の再生装置が再生する映像信号に画質調整、スケーラ変換等の映像処理を行ってテレビジョン受像機等の表示装置に出力し、再生装置が再生する音声信号に増幅等の音声処理を行ってスピーカーに出力するＡＶアンプが知られている（例えば、特許文献１参照。）。再生装置とＡＶアンプ、ＡＶアンプと表示装置は、それぞれ、ＨＤＭＩ（登録商標）ケーブル等のデジタル信号ケーブルで接続されている。
【０００３】
再生装置、ＡＶアンプ、表示装置には、それぞれ、ユーザーが各装置を操作するためのリモートコントローラ（操作部）が設けられている。例えば、ＡＶアンプのリモートコントローラには、ＡＶアンプを操作するためのボタンの他、再生装置による再生や再生停止を指示するためのボタンが設けられている。ＡＶアンプは、ＡＶアンプのリモートコントローラが送信する再生装置の再生停止指示を受け付けると、デジタル信号ケーブル経由で、再生停止のＣＥＣ（Consumer Electronics Control）コマンドを再生装置に送信する。再生装置は、再生停止のＣＥＣコマンドを受信すると、再生を停止する。従って、ユーザーは、再生装置のリモートコントローラのみならず、ＡＶアンプのリモートコントローラを操作することによって、再生装置に再生や再生停止等を指示することができる。
【先行技術文献】
【特許文献】
【０００４】
【特許文献１】特開２０１３−０１７１３２号公報
【発明の概要】
【発明が解決しようとする課題】
【０００５】
しかしながら、表示装置のリモートコントローラしかない場合、ユーザーは、再生装置に再生停止を指示することができないという問題がある。
【０００６】
本発明の目的は、表示装置が備える操作部により、ユーザーが、再生装置による映像信号及び音声信号の再生を停止させることを可能とすることである。
【課題を解決するための手段】
【０００７】
第１の発明の映像音声処理装置は、映像信号及び音声信号を再生する再生装置、及び、映像を表示する表示装置と接続される映像音声処理装置であって、前記表示装置が備える、音声信号のボリューム値を指示するための第１操作部の操作に基づいて、前記表示装置から出力される前記ボリューム値の指示を受け付ける受付部と、前記受付部が前記ボリューム値を所定値以下とする指示を受け付けた場合、前記再生装置に再生停止を指示する指示部と、を備えることを特徴とする。
【０００８】
本発明では、指示部は、表示装置が備える第１操作部の操作に基づいて、表示装置から出力されるボリューム値を所定値以下とする指示を、受付部が受け付けた場合、再生装置に再生停止を指示する。再生装置は、映像音声処理装置から再生停止を指示されると、映像信号及び音声信号の再生を停止する。従って、ユーザーは、表示装置が備える第１操作部を操作してボリューム値を所定値以下に指示することで、第１操作部により、再生装置による映像信号及び音声信号の再生を停止させることができる。
【０００９】
第２の発明の映像音声処理装置は、第１の発明の映像音声処理装置において、前記指示部は、前記再生装置に再生停止を指示した後、前記受付部が前記ボリューム値を前記所定値よりも大きくする指示を受け付けた場合、前記再生装置に再生を指示することを特徴とする。
【００１０】
本発明では、指示部は、再生装置に再生停止を指示した後、表示装置が備える第１操作部の操作に基づいて、表示装置から出力されるボリューム値を所定値よりも大きくする指示を、受付部が受け付けた場合、再生装置に再生を指示する。従って、ユーザーは、表示装置が備える第１操作部を操作してボリューム値を所定値よりも大きくすることを指示することで、第１操作部により、再生装置による映像信号及び音声信号の再生を行わせることができる。
【００１１】
第３の発明の映像音声処理装置は、第１又は第２の発明の映像音声処理装置において、前記受付部が設定する前記ボリューム値に音声信号を調整するボリューム調整部と、前記ボリューム値を記憶する記憶部と、をさらに備え、前記受付部は、前記ボリューム値を前記所定値以下とする指示のうち、ミュート指示を受け付けた場合、前記ミュート指示を受け付けたときの前記ボリューム値を前記記憶部に記憶し、且つ、前記ボリューム調整部にミュートを設定し、ミュートを解除するミュート解除指示を受け付けた場合、前記記憶部に記憶されている前記ボリューム値を前記ボリューム調整部に設定することを特徴とする。
【００１２】
本発明では、受付部は、ミュートを解除するミュート解除指示を受け付けた場合、記憶部に記憶されている、ミュート指示を受け付けたときのボリューム値をボリューム調整部に設定する。これにより、ボリューム調整部は、音声信号のミュート後、ミュート前のボリューム値に音声信号を調整することができる。
【００１３】
第４の発明の映像処理装置は、第３の発明の映像音声処理装置において、前記第１操作部は、前記ミュート指示、又は、前記ミュート解除指示をするための第１ミュートボタンを備えることを特徴とする。
【００１４】
本発明では、第１操作部は、ミュート指示、及び、ミュート解除指示をするための第１ミュートボタンを備える。これにより、ユーザーは、第１ミュートボタンを１度操作するのみで、再生装置による映像信号及び音声信号の再生を停止させることができる。
【００１５】
第５の発明の映像音声処理装置は、第３又は第４の発明の映像音声処理装置において、前記ボリューム値を指示するための第２操作部をさらに備え、前記受付部は、前記表示装置から出力される前記ボリューム値の指示に加え、前記第２操作部の操作に基づいて、前記ボリューム値の指示を受け付けることを特徴とする。
【００１６】
本発明では、受付部は、表示装置から出力されるボリューム値の指示に加え、映像音声処理装置が備える第２操作部の操作に基づいて、ボリューム値の指示を受け付ける。従って、ユーザーは、第１操作部に加え、第２操作部を操作してボリューム値を所定値以下に指示することで、再生装置による映像信号及び音声信号の再生を停止させることができる。
【００１７】
第６の発明の映像音声処理装置は、第５の発明の映像音声処理装置において、前記第２操作部は、前記ミュート指示、又は、前記ミュート解除指示をするための第２ミュートボタンを備えることを特徴とする。
【００１８】
本発明では、第２操作部は、ミュート指示、及び、ミュート解除指示をするための第２ミュートボタンを備える。これにより、ユーザーは、第２ミュートボタンを１度操作するのみで、再生装置による映像信号及び音声信号の再生を停止させることができる。
【００１９】
第７の発明の映像音声処理装置は、第１〜第６の発明のいずれかの映像音声処理装置において、前記第１操作部は、第１遠隔操作部を備えることを特徴とする。
【００２０】
本発明では、第１操作部は、第１遠隔操作部を備える。従って、ユーザーは、表示装置本体から離れた場所から、再生装置による映像信号及び音声信号の再生を停止させることができる。
【００２１】
第８の発明の映像音声処理装置は、第５又は第６の発明の映像音声処理装置において、前記第２操作部は、第２遠隔操作部を備えることを特徴とする。
【００２２】
本発明では、第２操作部は、第２遠隔操作部を備える。従って、ユーザーは、映像音声処理装置本体から離れた場所から、再生装置による映像信号及び音声信号の再生を停止させることができる。
【発明の効果】
【００２３】
本発明によれば、表示装置が備える操作部により、ユーザーが、再生装置による映像信号及び音声信号の再生を停止させることができる。
【図面の簡単な説明】
【００２４】
【図１】本発明の実施形態に係るＡＶアンプの構成を示すブロック図である。
【図２】制御部の機能を示すブロック図である。
【図３】ミュート指示を受け付けた場合のＡＶアンプの処理動作を示すフローチャートである。
【図４】ミュート解除指示を受け付けた場合のＡＶアンプの処理動作を示すフローチャートである。
【発明を実施するための形態】
【００２５】
以下、本発明の実施形態について説明する。図１は、本実施形態に係るＡＶアンプの構成を示すブロック図である。ＡＶアンプ１（映像音声処理装置）は、例えば、再生装置であるＢＤ（Blu-ray（登録商標） Disc）プレーヤー１００と接続されている。ＢＤプレーヤー１００は、Blu-ray（登録商標） Discに記録されている映像信号及び音声信号を再生する。また、ＡＶアンプ１は、スピーカー２００と接続されている。また、ＡＶアンプ１は、表示装置であるテレビジョン受像機（以下、「ＴＶ受像機」という。）３００と接続されている。テレビジョン受像機３００は、ディスプレイに映像を表示する。ＡＶアンプ１は、ＢＤプレーヤー１００から入力される音声信号に増幅等の音声処理を行って外部のスピーカー２００に出力する機能を有する。また、ＡＶアンプ１は、ＢＤプレーヤー１００から入力される映像信号にスケーラ変換等の映像処理を行って外部のＴＶ受像機３００に出力する機能を有する。ＡＶアンプ１とＢＤプレーヤー１００、ＡＶアンプ１とＴＶ受像機３００は、それぞれ、例えば、ＨＤＭＩ（登録商標）ケーブル等のデジタル信号ケーブルで接続されている。
【００２６】
図１に示すように、ＡＶアンプ１は、制御部２、記憶部３、表示部４、操作部５、デジタル信号入力端子６、デジタル信号受信部７、ＤＳＰ（Digital Signal Processor）８、Ｄ／Ａコンバータ９、ボリューム調整回路１０、パワーアンプ回路１１、アナログ音声信号出力端子１２、ＶＳＰ（Video Signal Processor）１３、デジタル信号送信部１４、デジタル信号出力端子１５等を備える。
【００２７】
制御部２は、記憶部３に記憶されたプログラムに従って、ＡＶアンプ１を構成する各部を制御し、後述する受付部２１等として機能する。記憶部３は、制御部２の主メモリとして機能するＲＡＭ（Random Access Memory）、プログラムを記憶するＲＯＭ（Read Only Memory）から構成されている。なお、記憶部３は、例示する構成に限られず、フラッシュメモリやＨＤＤ（Hard Disk Drive）等を含んでいてもよい。
【００２８】
表示部４は、設定画面等を表示するものであり、ＬＣＤ（液晶ディスプレイ）や蛍光表示管等である。操作部５（第２操作部）は、ユーザー操作を受け付けるためのものであり、ＡＶアンプ１の筐体に設けられた操作ボタンやリモートコントローラ５１である。ユーザーは、操作部５を操作することにより、例えば、音声信号のボリューム値を指示することができる。
【００２９】
デジタル信号入力端子６には、ＢＤプレーヤー１００が接続されており、ＢＤプレーヤー１００が再生するＨＤＭＩ（登録商標）方式のデジタル音声信号、及び、デジタル映像信号が入力される。デジタル信号受信部７は、デジタル信号入力端子６から入力されるデジタル音声信号、及び、デジタル映像信号を受信する。デジタル信号受信部７は、受信したデジタル音声信号をＤＳＰ８に出力する。また、デジタル信号受信部７は、受信したデジタル映像信号をＶＳＰ１３に出力する。ＤＳＰ８は、デジタル音声信号をデコードし、音場処理等を実行する。ＤＳＰ８は、音場処理等を行ったデジタル音声信号をＤ／Ａコンバータ９に出力する。Ｄ／Ａコンバータ９は、ＤＳＰ８から出力されたデジタル音声信号をアナログ音声信号にＤ／Ａ変換し、ボリューム調整回路１０に出力する。
【００３０】
ボリューム調整回路１０（ボリューム調整部）は、Ｄ／Ａコンバータ９から出力されたアナログ音声信号のボリューム値を調整し、パワーアンプ回路１１に出力する。ボリューム調整回路１０は、制御部２（受付部２１）が設定するボリューム値にアナログ音声信号を調整する。パワーアンプ回路１１は、ボリューム調整回路１０から出力されたアナログ音声信号を増幅し、アナログ音声出力端子１２に出力する。アナログ音声出力端子１２には、スピーカー２００が接続されており、アナログ音声出力端子１２からスピーカー２００にアナログ音声信号が出力される。スピーカー２００は、ＡＶアンプ１から出力されたアナログ音声信号に基づいて、音声を出力する。
【００３１】
ＶＳＰ１３は、デジタル映像信号に画質調整、スケーラ変換等の映像処理を行って、デジタル信号送信部１４に出力する。デジタル信号送信部１４は、例えば、ＨＤＭＩ（登録商標）方式のデジタル映像信号を、デジタル信号出力端子１５を介して、ＴＶ受像機３００に送信する。ＴＶ受像機３００は、ＡＶアンプ１から出力されたデジタル映像信号に基づいて、映像を表示する。
【００３２】
本実施形態に係るＡＶアンプ１は、アナログ音声信号のボリューム値等を指示するためのリモートコントローラ５１（第２遠隔操作部）を備えている。図２に示すように、リモートコントローラ５１には、ミュート指示、又は、ミュート解除指示をするためのミュートボタン５２（第２ミュートボタン）が設けられている。ミュートボタン５２が押下されると、リモートコントローラ５１は、赤外線通信方式で、ミュートを指示するリモコンコードをＡＶアンプ１に送信する。
【００３３】
ＴＶ受像機３００は、ＴＶ受像機３００の筐体に設けられた操作ボタンやリモートコントローラ３０１（第１遠隔操作部）を含む、操作部（第２操作部）を備えている。図２に示すように、リモートコントローラ３０１は、ＴＶ受像機３００に対して、アナログ音声信号のボリューム値等を指示するためのものであり、ミュート指示、及び、ミュート解除指示をするためのミュートボタン３０２（第１ミュートボタン）が設けられている。リモートコントローラ３０１は、赤外線通信方式で、ミュートを指示するリモコンコードをＴＶ受像機３００に送信する。ＴＶ受像機３００は、ミュートを指示するリモコンコードを受信すると、ミュートを指示するＣＥＣコマンドをＡＶアンプ１に送信する。
【００３４】
次に、制御部２の機能について説明する。図２は、制御部２の機能ブロック図である。制御部２は、受付部２１、指示部２２として機能する。受付部２１は、ＴＶ受像機３００のリモートコントローラ３０１の操作に基づいて、ＴＶ受像機３００から出力されるアナログ音声信号のボリューム値の指示を受け付ける。具体的には、ＴＶ受像機３００のリモートコントローラ３０１からボリューム値の調整を指示するリモコンコードが送信されると、ＴＶ受像機３００は、リモコンコードを受信し、ボリューム値の調整を指示するＣＥＣコマンドをＡＶアンプ１に送信する。受付部２１は、ボリューム値の調整を指示するＣＥＣコマンドを受信し、アナログ音声信号のボリューム値の指示を受け付ける。
【００３５】
ここで、リモートコントローラ３０１のミュートボタン３０２が押下されると、上述のように、リモートコントローラ３０１は、ミュートを指示するリモコンコードをＴＶ受像機３００に送信する。ＴＶ受像機３００は、ミュートを指示するリモコンコードを受信すると、ミュートを指示するＣＥＣコマンドをＡＶアンプ１に送信する。受付部２１は、アナログ音声信号をボリューム調整回路１０によりミュートしていない場合に、ミュートを指示するＣＥＣコマンドを受信すると、ミュート指示を受け付ける。このとき、受付部２１は、ミュート指示を受け付けたときのボリューム値（現在のボリューム値）を記憶部３に記憶する。そして、受付部２１は、ボリューム調整回路１０にミュート（−∞ｄＢ）を設定する。ボリューム調整回路１０は、アナログ音声信号のボリューム値を０ｄＢに調整し、アナログ音声信号をミュートする。
【００３６】
また、受付部２１は、アナログ音声信号をボリューム調整回路１０によりミュートしている場合に、ミュートを指示するＣＥＣコマンドを受信すると、ミュートを解除するミュート解除指示を受け付ける。このとき、受付部２１は、記憶部３に記憶されているボリューム値（ミュート前のボリューム値）をボリューム調整回路１０に設定する。ボリューム調整回路１０は、アナログ音声信号のボリューム値を設定されたボリューム値に調整する。
【００３７】
また、受付部２１は、ＡＶアンプ１のリモートコントローラ５１の操作に基づいて、アナログ音声信号のボリューム値の指示を受け付ける。具体的には、リモートコントローラ５１からボリューム値の調整を指示するリモコンコードが送信されると、図示しない赤外線受信部は、ボリューム値の調整を指示するリモコンコードを受信する。受付部２１は、赤外線受信部がボリューム値の調整を指示するリモコンコードを受信すると、アナログ音声信号のボリューム値の指示を受け付ける。
【００３８】
ここで、リモートコントローラ５１のミュートボタン５２が押下されると、上述のように、リモートコントローラ５１は、ミュートを指示するリモコンコードをＡＶアンプ１に送信する。受付部２１は、アナログ音声信号をボリューム調整回路１０によりミュートしていない場合に、赤外線受信部がミュートを指示するリモコンコードを受信すると、ミュート指示を受け付ける。このとき、受付部２１は、ミュート指示を受け付けたときのボリューム値（現在のボリューム値）を記憶部３に記憶する。そして、受付部２１は、ボリューム調整回路１０にミュート（−∞ｄＢ）を設定する。
【００３９】
また、受付部２１は、アナログ音声信号をボリューム調整回路１０によりミュートしている場合に、赤外線受信部がミュートを指示するリモコンコードを受信すると、ミュート解除指示を受け付ける。このとき、受付部２１は、記憶部３に記憶されているボリューム値（ミュート前のボリューム値）をボリューム調整回路１０に設定する。
【００４０】
指示部２２は、ＢＤプレーヤー１００に再生停止、及び、再生を指示する。詳細には、指示部２２は、受付部２１がミュート指示を受け付けた場合、ＢＤプレーヤー１００に再生停止を指示する。より詳細には、指示部２２は、ＢＤプレーヤー１００が映像信号及び音声信号を再生している場合に、再生停止を指示するＣＥＣコマンドをＢＤプレーヤー１００に送信する。ＢＤプレーヤー１００は、再生停止を指示するＣＥＣコマンドを受信すると、映像信号及び音声信号の再生を停止する。なお、再生停止の指示は、一時的に再生を停止する再生一時停止の指示であってもよいし、通常の再生停止の指示であってもよい。
【００４１】
また、指示部２２は、ＢＤプレーヤー１００に再生停止を指示するか否かを判断するため、ＢＤプレーヤー１００の再生状態（再生、又は、再生停止）を取得する。具体的には、指示部２２は、ＢＤプレーヤー１００に、ＢＤプレーヤー１００の再生状態を取得するためのＣＥＣコマンドを送信する。ＢＤプレーヤー１００は、上記ＣＥＣコマンドを受信すると、再生状態をＣＥＣコマンドでＡＶアンプ１に送信する。指示部２２は、ＢＤプレーヤー１００が送信するＣＥＣコマンドを受信し、ＢＤプレーヤー１００の再生状態を取得する。
【００４２】
また、指示部２２は、ＢＤプレーヤー１００に再生停止を指示した後、受付部２１がミュート解除指示を受け付けた場合、ＢＤプレーヤー１００に再生を指示する。具体的には、指示部２２は、再生を指示するＣＥＣコマンドをＢＤプレーヤー１００に送信する。ＢＤプレーヤー１００は、再生を指示するＣＥＣコマンドを受信すると、映像信号及び音声信号を再生する。
【００４３】
以下、ミュート指示を受け付けた場合のＡＶアンプ１の処理動作について、図３に示すフローチャートに基づいて説明する。受付部２１は、ミュート指示を受け付けたか否かを判断する（Ｓ１）。受付部２１は、ミュート指示を受け付けてないと判断している間は（Ｓ１：Ｎｏ）、Ｓ１の処理を繰り返し実行する。受付部２１は、ミュート指示を受け付けたと判断した場合（Ｓ１：Ｙｅｓ）、ボリューム値を記憶部３に記憶する（Ｓ２）。次に、受付部２１は、ボリューム調整回路１０にミュート（０ｄＢ）を設定する（Ｓ３）。このとき、ボリューム調整回路１０は、アナログ音声信号のボリューム値を０ｄＢに調整し、アナログ音声信号をミュートする。
【００４４】
次に、指示部２２は、ＢＤプレーヤー１００が映像信号及び音声信号を再生しているか否かを判断する（Ｓ４）。上述のように、指示部２２は、ＢＤプレーヤー１００の再生状態を取得し、ＢＤプレーヤー１００が映像信号及び音声信号を再生しているか否かを判断する。指示部２２は、ＢＤプレーヤー１００が映像信号及び音声信号を再生していないと判断した場合（Ｓ４：Ｎｏ）、処理を終了する。
【００４５】
一方、指示部２２は、ＢＤプレーヤー１００が映像信号及び音声信号を再生していると判断した場合（Ｓ４：Ｙｅｓ）、ＢＤプレーヤー１００に再生停止を指示する（Ｓ５）。次に、指示部２２は、ＢＤプレーヤー１００が映像信号及び音声信号の再生を停止しているか否かを判断する（Ｓ６）。上述のように、指示部２２は、ＢＤプレーヤー１００の再生状態を取得し、ＢＤプレーヤー１００が映像信号及び音声信号の再生を停止しているか否かを判断する。指示部２２は、ＢＤプレーヤー１００が映像信号及び音声信号の再生を停止していないと判断した場合（Ｓ６：Ｎｏ）、再度、ＢＤプレーヤー１００に再生停止を指示する（Ｓ５）。指示部２２は、ＢＤプレーヤー１００が映像信号及び音声信号の再生を停止していると判断した場合（Ｓ６：Ｙｅｓ）、処理を終了する。
【００４６】
以下、ミュート解除指示を受け付けた場合のＡＶアンプ１の処理動作について、図４に示すフローチャートに基づいて説明する。受付部２１は、ミュート解除指示を受け付けたか否かを判断する（Ｓ１１）。受付部２１は、ミュート解除指示を受け付けてないと判断している間は（Ｓ１１：Ｎｏ）、Ｓ１１の処理を繰り返し実行する。受付部２１は、ミュート解除指示を受け付けたと判断した場合（Ｓ１１：Ｙｅｓ）、記憶部３に記憶されているボリューム値をボリューム調整回路１０に設定する（Ｓ１２）。このとき、ボリューム調整回路１０は、アナログ音声信号のボリューム値を、設定されたボリューム値に調整する。これにより、アナログ音声信号のミュートが解除される。
【００４７】
次に、指示部２２は、ＢＤプレーヤー１００が映像信号及び音声信号の再生を停止しているか否かを判断する（Ｓ１３）。上述のように、指示部２２は、ＢＤプレーヤー１００の再生状態を取得し、ＢＤプレーヤー１００が映像信号及び音声信号の再生を停止しているか否かを判断する。指示部２２は、ＢＤプレーヤー１００が映像信号及び音声信号の再生を停止していない、すなわち、ＢＤプレーヤー１００が映像信号及び音声信号を再生していると判断した場合（Ｓ１３：Ｎｏ）、処理を終了する。
【００４８】
一方、指示部２２は、ＢＤプレーヤー１００が映像信号及び音声信号の再生を停止していると判断した場合（Ｓ１３：Ｙｅｓ）、ＢＤプレーヤー１００に再生を指示する（Ｓ１４）。次に、指示部２２は、ＢＤプレーヤー１００が映像信号及び音声信号を再生しているか否かを判断する（Ｓ１５）。上述のように、指示部２２は、ＢＤプレーヤー１００の再生状態を取得し、ＢＤプレーヤー１００が映像信号及び音声信号を再生しているか否かを判断する。指示部２２は、ＢＤプレーヤー１００が映像信号及び音声信号を再生していないと判断した場合（Ｓ１５：Ｎｏ）、再度、ＢＤプレーヤー１００に再生を指示する（Ｓ１４）。指示部２２は、ＢＤプレーヤー１００が映像信号及び音声信号を再生していると判断した場合（Ｓ１５：Ｙｅｓ）、処理を終了する。
【００４９】
以上説明したように、本実施形態では、指示部２２は、ＴＶ受像機３００のリモートコントローラ３０１の操作に基づいて、ＴＶ受像機３００から出力されるミュート指示を受付部２１が受け付けた場合、ＢＤプレーヤー１００に再生停止を指示する。ＢＤプレーヤー１００は、ＡＶアンプ１から再生停止を指示されると、映像信号及び音声信号の再生を停止する。従って、ユーザーは、ＴＶ受像機３００が備えるリモートコントローラ３０１を操作してミュートを指示することで、リモートコントローラ３０１により、ＢＤプレーヤー１００による映像信号及び音声信号の再生を停止させることができる。
【００５０】
また、本実施形態では、指示部２２は、ＢＤプレーヤー１００に再生停止を指示した後、ＴＶ受像機３００が備えるリモートコントローラ３０１の操作に基づいて、ＴＶ受像機３００から出力されるミュート解除指示を受付部２１が受け付けた場合、ＢＤプレーヤー１００に再生を指示する。従って、ユーザーは、ＴＶ受像機３００が備えるリモートコントローラ３０１を操作してミュート解除を指示することで、リモートコントローラ３０１により、ＢＤプレーヤー１００による映像信号及び音声信号の再生を行わせることができる。
【００５１】
また、本実施形態では、受付部２１は、ＴＶ受像機３００から出力されるミュート指示に加え、ＡＶアンプ１が備えるリモートコントローラ５１の操作に基づいて、ミュート指示、及び、ミュート解除指示を受け付ける。従って、ユーザーは、リモートコントローラ３０１に加え、リモートコントローラ５１を操作してミュートを指示することで、ＢＤプレーヤー１００による映像信号及び音声信号の再生を停止させることができる。また、ユーザーは、リモートコントローラ３０１に加え、リモートコントローラ５１を操作してミュート解除を指示することで、ＢＤプレーヤー１００に映像信号及び音声信号を再生させることができる。
【００５２】
また、本実施形態では、受付部２１は、ミュートを解除するミュート解除指示を受け付けた場合、記憶部３に記憶されている、ミュート指示を受け付けたときのボリューム値をボリューム調整回路１０に設定する。これにより、ボリューム調整回路１０は、アナログ音声信号のミュート後、ミュート前のボリューム値にアナログ音声信号を調整することができる。
【００５３】
また、本実施形態では、ＴＶ受像機３００のリモートコントローラ３０１は、ミュート指示、及び、ミュート解除指示をするためのミュートボタン３０１を備える。これにより、ユーザーは、ミュートボタン３０２を１度操作するのみで、ＢＤプレーヤー１００による映像信号及び音声信号の再生を停止、又は、ＢＤプレーヤー１００に映像信号及び音声信号を再生させることができる。
【００５４】
また、本実施形態では、リモートコントローラ５１は、ミュート指示、及び、ミュート解除指示をするためのミュートボタン５２を備える。これにより、ユーザーは、ミュートボタン５２を１度操作するのみで、ＢＤプレーヤー１００による映像信号及び音声信号の再生を停止、又は、ＢＤプレーヤー１００に映像信号及び音声信号を再生させることができる。
【００５５】
また、本実施形態では、ＴＶ受像機３００の操作部は、リモートコントローラ３０１を備える。従って、ユーザーは、ＴＶ受像機３００本体から離れた場所から、ＢＤプレーヤー１００による映像信号及び音声信号の再生を停止、又は、ＢＤプレーヤー１００に映像信号及び音声信号を再生させることができる。
【００５６】
また、本実施形態では、操作部５は、リモートコントローラ５１を備える。従って、ユーザーは、ＡＶアンプ１本体から離れた場所から、ＢＤプレーヤー１００による映像信号及び音声信号の再生を停止、又は、ＢＤプレーヤー１００に映像信号及び音声信号を再生させることができる。
【００５７】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５８】
上述の実施形態においては、ＴＶ受像機３００のリモートコントローラ３０１の操作に基づいて、ＴＶ受像機３００から出力されるミュート指示、リモートコントローラ５２の操作に基づいたミュート指示を受付部２２が受け付けた場合に、指示部２２が、ＢＤプレーヤー１００に再生停止を指示する場合について説明した。これに加え、指示部２２は、ＴＶ受像機３００の筐体に設けられたミュートボタンの操作に基づいて、ＴＶ受像機３００から出力されるミュート指示、ＡＶアンプ１の筐体に設けられたミュートボタンの操作に基づいたミュート指示を受付部２２が受け付けた場合に、ＢＤプレーヤー１００に再生停止を指示する。
【００５９】
上述の実施形態においては、ＴＶ受像機３００のリモートコントローラ３０１の操作に基づいて、ＴＶ受像機３００から出力されるミュート解除指示、リモートコントローラ３０２の操作に基づいたミュート解除指示を受付部２２が受け付けた場合に、指示部２２が、ＢＤプレーヤー１００に再生を指示する場合について説明した。これに加え、指示部２２は、ＴＶ受像機３００の筐体に設けられたミュートボタンの操作に基づいて、ＴＶ受像機３００から出力されるミュート解除指示、ＡＶアンプ１の筐体に設けられたミュートボタンの操作に基づいたミュート解除指示を受付部２２が受け付けた場合に、ＢＤプレーヤー１００に再生を指示する。
【００６０】
上述の実施形態においては、指示部２２は、受付部２１がミュート指示（アナログ音声信号のボリューム値を０ｄＢとする指示）を受け付けた場合、ＢＤプレーヤー１００に再生停止を指示するようになっている。これに限らず、指示部２２は、受付部２１がアナログ音声信号のボリューム値を所定値以下とする指示を受け付けた場合に、ＢＤプレーヤー１００に再生停止を指示するようになっていてもよい。また、指示部２２は、受付部２１がミュート解除指示を受け付けた場合、ＢＤプレーヤー１００に再生を指示するようになっている。これに限らず、指示部２２は、受付部２１がアナログ音声信号のボリューム値を所定値よりも大きくする指示を受け付けた場合に、ＢＤプレーヤー１００に再生を指示するようになっていてもよい。この変形例の場合も、指示部２２は、ＴＶ受像機３０１の筐体に設けられたボリューム調整ボタンの操作に基づいたボリューム値の指示、ＡＶアンプ１の筐体に設けられたボリューム調整ボタンの操作に基づいたボリューム値の指示によって、ＢＤプレーヤー１００に再生、又は、再生停止を指示する。
【００６１】
上述の実施形態においては、再生装置として、ＢＤプレーヤー１００を例示した。これに限らず、録画機能を備えたＢＤプレーヤー、ＤＶＤプレーヤー等であってもよい。また、表示装置として、ＴＶ受像機３００を例示した。これに限らず、液晶ディスプレイであってもよい。
【産業上の利用可能性】
【００６２】
本発明は、再生装置が再生する映像信号にスケーラ変換等の映像処理を行って表示装置に出力し、再生装置が再生する音声信号に増幅等の音声処理を行ってスピーカーに出力する映像音声処理装置に好適に採用され得る。
【符号の説明】
【００６３】
１  ＡＶアンプ（映像音声処理装置）
２  制御部
２１  受付部
２２  指示部
３  記憶部
５  操作部（第２操作部）
５１  リモートコントローラ（第２遠隔操作部）
５２  ミュートボタン（第２ミュートボタン）
１０  ボリューム調整回路（ボリューム調整部）
１００  ＢＤプレーヤー（再生装置）
２００  スピーカー
３００  ＴＶ受像機（表示装置）
３０１  リモートコントローラ（第１遠隔操作部）
３０２  ミュートボタン（第１ミュートボタン）
【図１】
2015198329.tif 000003
【図２】
2015198329.tif 000004
【図３】
2015198329.tif 000005
【図４】
2015198329.tif 000006